(57)【特許請求の範囲】
【請求項１】
車載用蓄電装置が搭載される車両において、サイクル（１）の冷媒流れを制御することによって車室内を空調する車両用空調装置（１００）であって、
一方側に空気取入口（２５ａ，２５ｂ）が形成され、他方側に車室内に向かう空気が通過する複数の吹出口（２７ａ，２７ｂ，２７ｃ）が形成される空調ケース（２０）であって、前記空気取入口と前記吹出口との間に送風空気が通過する通風路を内部に有する空調ケースと、
前記空調ケースの通風路に対して空気を送風する空調用送風機（２１）と、
前記吹出口から窓ガラスの内表面に向かう吹出風量を調節する吹出風量調節手段（２６ａ）と、
前記サイクルを循環する冷媒を吸入し吐出する圧縮機（２）と、
前記空調ケース内に設けられ、前記サイクルを循環する冷媒が蒸発して車室内への送風空気を冷却する冷却用熱交換器（８）と、
前記圧縮機の冷媒吐出量、前記空調用送風機の送風量、前記吹出風量調節手段の吹出風量を制御する制御手段（５０）と、を含み、
前記制御手段は、
操作者の操作によって車両が駐車状態から走行可能な走行状態に起動したとき、前記駐車状態になったときの送風空気の吹出モードとなるように、前記圧縮機、前記空調用送風機および前記吹出風量調節手段を制御し、
前記駐車状態になったときの吹出モードが窓ガラスの曇りを除去する防曇モード中であった場合には、前記駐車状態中に外部環境に基づいて防曇モードを維持する必要がないと判断したとき、前記起動したときは前記吹出モードを防曇モード以外のモードとなるように前記圧縮機、前記空調用送風機および前記吹出風量調節手段を制御することを特徴とする車両用空調装置。
【請求項２】
車載用蓄電装置が搭載される車両において、サイクル（１）の冷媒流れを制御することによって車室内を空調する車両用空調装置（１００）であって、
一方側に空気取入口（２５ａ，２５ｂ）が形成され、他方側に車室内に向かう空気が通過する複数の吹出口（２７ａ，２７ｂ，２７ｃ）が形成される空調ケース（２０）であって、前記空気取入口と前記吹出口との間に送風空気が通過する通風路を内部に有する空調ケースと、
前記空調ケースの通風路に対して空気を送風する空調用送風機（２１）と、
前記吹出口から窓ガラスの内表面に向かう吹出風量を調節する吹出風量調節手段（２６ａ）と、
前記サイクルを循環する冷媒を吸入し吐出する圧縮機（２）と、
前記空調ケース内に設けられ、前記サイクルを循環する冷媒が蒸発して車室内への送風空気を冷却する冷却用熱交換器（８）と、
前記圧縮機の冷媒吐出量、前記空調用送風機の送風量、前記吹出風量調節手段の吹出風量を制御する制御手段（５０）と、を含み、
前記制御手段は、
操作者の操作によって車両が駐車状態から走行可能な走行状態に起動したとき、前記駐車状態になったときの送風空気の吹出モードとなるように、前記圧縮機、前記空調用送風機および前記吹出風量調節手段を制御し、
前記駐車状態になったときの吹出モードが窓ガラスの曇りを除去する防曇モード中であった場合には、前記起動したときに、外部環境に基づいて防曇モードを維持する必要がないと判断したとき、前記吹出モードを防曇モード以外のモードとなるように前記圧縮機、前記空調用送風機および前記吹出風量調節手段を制御することを特徴とする車両用空調装置。
【請求項３】
車室外の外気温を検出する外気温検出手段（４３）をさらに含み、
前記制御手段は、前記駐車状態中に前記外気温が所定温度以上の場合に、防曇モードを維持する必要がないと判断することを特徴とする請求項１または２に記載の車両用空調装置。
【請求項４】
前記車両は、エンジン（３０）および電動モータを駆動源とするハイブリッド車両であり、
前記空調ケース内に設けられ、前記エンジンの冷却水を熱源として、車室内への送風空気を加熱する加熱用熱交換器（２３）をさらに含み、
前記制御手段は、
前記起動時に前記防曇モードを実施する場合は、前記エンジンの起動を要求する要求信号の出力し、
前記起動時に前記防曇モード以外のモードを実施する場合は、外部環境に応じて前記要求信号の出力を禁止することを特徴とする請求項１〜３のいずれか１つに記載の車両用空調装置。
【発明の詳細な説明】
【技術分野】
【０００１】
本発明は、車載用蓄電装置を搭載した車両の車室内を空調する車両用空調装置に関する。
【背景技術】
【０００２】
従来、ハイブリット自動車の空調装置における暖房制御では、まず、内気センサおよび外気センサからのセンサ信号等に基づいて、水温センサにて検出したエンジンの冷却水温が低くても、車室内を暖房する必要があるか否かを判定している。そして、車室内を暖房する必要があると判定した場合には、ハイブリッド自動車の運転状態が発進時または低速走行時であっても、エンジンを作動させることにより、エンジンのウォータジャケット内で暖められた冷却水をヒータコア内に供給して、車室内を暖房するようにしている（たとえば特許文献１参照）。
【先行技術文献】
【特許文献】
【０００３】
【特許文献１】特開２００８−１７４０４２号公報
【発明の概要】
【発明が解決しようとする課題】
【０００４】
前述の従来技術では、温風が必要な場合、車載用蓄電装置の蓄電量にかかわらず車両起動時にエンジンを起動する。したがって、満充電であっても外部環境などにかかわらずエンジンを起動するので、乗員に与える違和感が大きく、さらに充電電力が空調に用いられるので走行に用いる量が減ってしまい燃費が悪化するという問題がある。
【０００５】
そこで、本発明は前述の問題点を鑑みてなされたものであり、外部環境に応じて、車両起動時のエネルギー消費を抑制することができる車両用空調装置を提供することを目的とする。
【課題を解決するための手段】
【０００６】
本発明は前述の目的を達成するために以下の技術的手段を採用する。
【０００７】
請求項１に記載の発明では、車載用蓄電装置が搭載される車両において、サイクル（１）の冷媒流れを制御することによって車室内を空調する車両用空調装置（１００）であって、
一方側に空気取入口（２５ａ，２５ｂ）が形成され、他方側に車室内に向かう空気が通過する複数の吹出口（２７ａ，２７ｂ，２７ｃ）が形成される空調ケース（２０）であって、空気取入口と吹出口との間に送風空気が通過する通風路を内部に有する空調ケースと、
空調ケースの通風路に対して空気を送風する空調用送風機（２１）と、
吹出口から窓ガラスの内表面に向かう吹出風量を調節する吹出風量調節手段（２６ａ）と、
サイクルを循環する冷媒を吸入し吐出する圧縮機（２）と、
空調ケース内に設けられ、サイクルを循環する冷媒が蒸発して車室内への送風空気を冷却する冷却用熱交換器（８）と、
圧縮機の冷媒吐出量、空調用送風機の送風量、吹出風量調節手段の吹出風量を制御する制御手段（５０）と、を含み、
制御手段は、
操作者の操作によって車両が駐車状態から走行可能な走行状態に起動したとき、駐車状態になったときの送風空気の吹出モードとなるように、圧縮機、空調用送風機および吹出風量調節手段を制御し、
駐車状態になったときの吹出モードが窓ガラスの曇りを除去する防曇モード中であった場合には、駐車状態中に外部環境に基づいて防曇モードを維持する必要がないと判断したとき、起動したときは吹出モードを防曇モード以外のモードとなるように圧縮機、空調用送風機および吹出風量調節手段を制御することを特徴とする車両用空調装置である。
【０００８】
請求項１に記載の発明に従えば、操作者の操作によって車両が駐車状態から走行状態に起動したとき、駐車状態になったときの送風空気の吹出モードとなるように、制御手段によって圧縮機、空調用送風機および吹出風量調節手段が制御される。これによって前回駐車したときの吹出モードを、新たに操作しなくとも継続して用いることができる。
【０００９】
また駐車状態になったときの吹出モードが防曇モード中であった場合には、駐車状態中に外部環境に基づいて防曇モードを維持する必要がないと判断したとき、起動したときは吹出モードを防曇モード以外のモードとなるように制御手段によって各部が制御される。これによって防曇モードで起動する必要がない場合に、防曇モードで起動することが防止される。したがって操作性を向上することができる。また起動時に防曇モードに以外のモードにすることによって、車室内を防曇モードよりも快適に空調することができる。したがって防曇モードで起動するよりもエネルギー消費を抑制することができる。
【００１０】
また請求項２に記載の発明では、車載用蓄電装置が搭載される車両において、サイクル（１）の冷媒流れを制御することによって車室内を空調する車両用空調装置（１００）であって、
一方側に空気取入口（２５ａ，２５ｂ）が形成され、他方側に車室内に向かう空気が通過する複数の吹出口（２７ａ，２７ｂ，２７ｃ）が形成される空調ケース（２０）であって、空気取入口と吹出口との間に送風空気が通過する通風路を内部に有する空調ケースと、
空調ケースの通風路に対して空気を送風する空調用送風機（２１）と、
吹出口から窓ガラスの内表面に向かう吹出風量を調節する吹出風量調節手段（２６ａ）と、
サイクルを循環する冷媒を吸入し吐出する圧縮機（２）と、
空調ケース内に設けられ、サイクルを循環する冷媒が蒸発して車室内への送風空気を冷却する冷却用熱交換器（８）と、
圧縮機の冷媒吐出量、空調用送風機の送風量、吹出風量調節手段の吹出風量を制御する制御手段（５０）と、を含み、
制御手段は、
操作者の操作によって車両が駐車状態から走行可能な走行状態に起動したとき、駐車状態になったときの送風空気の吹出モードとなるように、圧縮機、空調用送風機および吹出風量調節手段を制御し、
駐車状態になったときの吹出モードが窓ガラスの曇りを除去する防曇モード中であった場合には、起動したときに、外部環境に基づいて防曇モードを維持する必要がないと判断したとき、吹出モードを防曇モード以外のモードとなるように圧縮機、空調用送風機および吹出風量調節手段を制御することを特徴とする車両用空調装置である。
【００１１】
請求項２に記載の発明に従えば、操作者の操作によって車両が駐車状態から走行状態に起動したとき、駐車状態になったときの送風空気の吹出モードとなるように、制御手段によって圧縮機、空調用送風機および吹出風量調節手段が制御される。これによって前回駐車したときの吹出モードを、新たに操作しなくとも継続して用いることができる。
【００１２】
また駐車状態になったときの吹出モードが防曇モード中であった場合には、起動したときに、外部環境に基づいて防曇モードを維持する必要がないと判断したとき、吹出モードを防曇モード以外のモードとなるように制御手段によって各部が制御される。これによって防曇モードで起動する必要がない場合に、防曇モードで起動することが防止される。したがって操作性を向上することができる。また起動時に防曇モードに以外のモードにすることによって、車室内を防曇モードよりも快適に空調することができる。したがって防曇モードで起動するよりもエネルギー消費を抑制することができる。
【００１３】
さらに請求項３に記載の発明では、車室外の外気温を検出する外気温検出手段（４３）をさらに含み、
制御手段は、駐車状態中に外気温が所定温度以上の場合に、防曇モードを維持する必要がないと判断することを特徴とする。
【００１４】
請求項３に記載の発明に従えば、制御手段は、駐車状態中に外気温が所定温度以上の場合に、防曇モードを維持する必要がないと判断する。これによって外気温が所定温度未満で低温であり、防曇モードが必要な場合に防曇モードが維持されるので、防曇性を確保することができる。
【００１５】
さらに請求項４に記載の発明では、車両は、エンジン（３０）および電動モータを駆動源とするハイブリッド車両であり、
空調ケース内に設けられ、エンジンの冷却水を熱源として、車室内への送風空気を加熱する加熱用熱交換器（２３）をさらに含み、
制御手段は、
起動時に防曇モードを実施する場合は、エンジンの起動を要求する要求信号の出力し、
起動時に防曇モード以外のモードを実施する場合は、外部環境に応じて要求信号の出力を禁止することを特徴とする。
【００１６】
請求項４に記載の発明に従えば、起動時に防曇モードを実施する場合は、エンジンの起動を要求する要求信号を出力するように制御される。これによって防曇モードにおいて、熱源を確保することができるので、窓曇りの除去を効率よく行うことができる。また起動時に防曇モード以外のモードを実施する場合は、外部環境に応じて要求信号の出力を禁止する。これによって外部環境によっては外気温が高温で不必要なエンジンの起動を抑制することができる。したがって窓晴らし性確保と燃費向上および車外音低減することができる。
【００１７】
なお、前述の各手段の括弧内の符号は、後述する実施形態に記載の具体的手段との対応関係を示す一例である。
【図面の簡単な説明】
【００１８】
【図１】車両用空調装置１００の構成及びＣＯＯＬサイクル時の冷媒流れを説明するための模式図である。
【図２】ＨＯＴサイクル時の冷媒流れを説明するための模式図である。
【図３】ＤＲＹ  ＥＶＡサイクル時の冷媒流れを説明するための模式図である。
【図４】ＤＲＹ  ＡＬＬサイクル時の冷媒流れを説明するための模式図である。
【図５】上記各サイクルにおいて各電磁弁１１〜１４及び三方弁４の動作状態を示す図表である。
【図６】車両用空調装置１００における制御構成を示すブロック図である。
【図７】エアコンＥＣＵ５０による制御処理を示したフローチャートである。
【図８】ブロワ電圧決定処理の詳細を示すフローチャートである。
【図９】吹出モード決定処理の第１段階の詳細を示すフローチャートである。
【図１０】吹出モード決定処理の第２段階の詳細を示すフローチャートである。
【図１１】エンジンＯＮ要求有無決定処理の詳細を示すフローチャートである。
【図１２】第２実施形態に係る車両用空調装置１０１の構成を説明するための模式図である。
【図１３】第３実施形態に係る車両用空調装置１０２の構成を説明するための模式図である。
【発明を実施するための形態】
【００１９】
以下、図面を参照しながら本発明を実施するための形態を、複数の形態について説明する。各実施形態で先行する実施形態で説明している事項に対応している部分には同一の参照符を付すか、または先行の参照符号に一文字追加し、重複する説明を略する場合がある。また各実施形態にて構成の一部を説明している場合、構成の他の部分は、先行して説明している実施形態と同様とする。各実施形態で具体的に説明している部分の組合せばかりではなく、特に組合せに支障が生じなければ、実施形態同士を部分的に組合せることも可能である。
【００２０】
（第１実施形態）
以下、本発明の第１実施形態について図１〜図１１を用いて詳細に説明する。第１実施形態は、蒸気圧縮式冷凍機をハイブリッド車両用の空調装置に適用したものである。
【００２１】
ハイブリッド車両は、ガソリン等の液体燃料を爆発燃焼させて動力を発生させる走行用内燃機関をなすエンジン３０、走行補助用電動機機能及び発電機機能を備える走行補助用の電動発電機、エンジン３０への燃料供給量や点火時期等を制御するエンジン用電子制御装置（以下、エンジンＥＣＵ６０ともいう）、電動発電機やエンジンＥＣＵ６０等に電力を供給する電池、電動発電機の制御及び無断変速機や電磁クラッチの制御を行うと共にエンジンＥＣＵ６０に制御信号を出力するハイブリッド電子制御装置（以下、ハイブリッドＥＣＵ７０ともいう）を備えている。したがってハイブリッド車両は、走行するための駆動源としてエンジン３０と電動発電機とを有する。ハイブリッドＥＣＵ７０は、電動発電機及びエンジン３０のいずれの駆動力を駆動輪に伝達するかの駆動切替を制御する機能、及び電池（車載用蓄電装置）の充放電を制御する機能を備えている。
【００２２】
また電池は、車載用蓄電装置であって、車室内空調、走行等によって消費した電力を充電するための充電装置を備えており、例えばニッケル水素蓄電池、リチウムイオン電池等が用いられる。この充電装置は、電力供給源としての電気スタンドや商業用電源（家庭用電源）に接続されるコンセントを備えており、このコンセントに電源供給源を接続することにより、電池の充電を行うこともできる。
【００２３】
具体的には、以下のような制御を行う。
（１）車両が停止しているときは、基本的にエンジン３０を停止させる。
（２）走行中は、減速時を除き、エンジン３０で発生した駆動力を駆動輪に伝達する。なお、減速時は、エンジン３０を停止させて電動発電機にて発電して電池に充電する（電気走行モード）。
（３）発進時、加速時、登坂時及び高速走行時等の走行負荷が大きいときには、電動発電機を電動モータとして機能させてエンジン３０で発生した駆動力に加えて、電動発電機に発生した駆動力を駆動輪に伝達する（ハイブリッド走行モード）。
（４）電池の充電残量が充電開始目標値以下になったときには、エンジン３０の動力を電動発電機に伝達して電動発電機を発電機として作動させて電池の充電を行う。
（５）車両が停止しているときに電池の充電残量が充電開始目標値以下になったときには、エンジンＥＣＵ６０に対してエンジン３０を始動する指令を発するとともに、エンジン３０の動力を電動発電機に伝達する。
【００２４】
車両用空調装置１００は、乗員の乗車前に行われる車室内空調（以下、乗車前空調またはプレ空調という）運転が実施可能な空調装置である。車両のユーザーが、乗車前空調運転を行いたいときに携帯する携帯機５２を操作すると、エアコンＥＣＵ５０は、携帯機５２から送信される乗車前空調運転の命令信号を受信し、所定のプログラムによる演算を行って乗車前空調運転を実行するものである。
【００２５】
ユーザーは、車両に乗車しようとする前に車室内の空調環境を快適にしておくために、携帯機５２を操作して、通信局であるセンターを通じて車両の空調装置に対して乗車前空調運転の指令を送信する。この乗車前空調運転は、原則として、車両のイグニッションスイッチがＯＦＦ状態であること、あるいはエアコンＥＣＵ５０に対して乗員が乗車している信号が送信されていないことが許容条件となる。
【００２６】
図１は、車両用空調装置１００の構成及びＣＯＯＬサイクル（以下、冷房サイクルともいう）時の冷媒流れを説明するための模式図である。図２は、ＨＯＴサイクル（以下、暖房サイクルともいう）時の冷媒流れを説明するための模式図である。図３はＤＲＹ  ＥＶＡサイクル（以下、第１の除湿サイクルともいう）時の冷媒流れを説明するための模式図である。図４は、ＤＲＹ  ＡＬＬサイクル（以下、第２の除湿サイクルともいう）時の冷媒流れを説明するための模式図である。図５は、上記各サイクルにおいて各電磁弁１１〜１４及び三方弁４の動作状態を示す図表である。各サイクルにおいて、冷媒が流れる経路は太字実線で示し、冷媒が流れない経路は破線で示している。
【００２７】
車両用空調装置１００は、アキュムレータ式冷凍サイクルであるヒートポンプサイクル１を用いた装置であり、車室内に送風空気を導く空調ケース２０、この空調ケース２０内に空気を導入して車室内へ送る室内用ブロワ２１（空調用送風機）、及びエンジンＥＣＵ６０に接続されたエアコン電子制御装置（以下、エアコンＥＣＵ５０ともいう）を備える。
【００２８】
室内用ブロワ２１は、ブロワケース（図示せず）、ファン、ブロワモータよりなり、このブロワモータへの印加電圧に応じて、ブロワモータの回転速度が決定される。ブロワモータへの印加電圧は、上記エアコンＥＣＵ５０からの制御信号に基づいて送風量が制御される。
【００２９】
室内用ブロワ２１のブロワケースの一方側には、空気を取り入れる空気取入口として、車室内空気（内気）を導入する内気導入口（図示せず）と、車室外空気（外気）を導入する外気導入口（図示せず）とが形成されるとともに、内気導入口と外気導入口との開口割合を調節する内外気切替手段を成す内外気切替ドア２５が設けられている。
【００３０】
室内用ブロワ２１よりも送風空気の下流側における空調ケース２０内の通風路には、上流側から下流側に進むにしたがい順に、蒸発器８（冷却用熱交換器）、エアミックスドア２２、ヒータコア２３、凝縮器３（加熱用熱交換器）、ＰＴＣヒータ２４（電気式補助熱源）が配置されている。
【００３１】
空調ケース２０の他方側の下流端（図１の上方）は、車両のフロントウィンドウ（窓ガラス）の内表面に向かって送風空気を吐出するデフロスタ吹出口（図示せず）、乗員の上半身に向かって送風空気を吐出するフェイス吹出口（図示せず）、乗員足元に向かって送風空気を吐出するフット吹出口（図示せず）に接続されている。
【００３２】
蒸発器８は室内用ブロワ２１直後の通路（通風路）全体を横断するように配置されており、室内用ブロワ２１から吹き出された空気全部が通過するようになっている。蒸発器８は冷房サイクル運転時や除湿サイクル運転時において内部を流れる冷媒の吸熱作用によって、送風空気を除湿したり冷却したりする冷却用熱交換器として機能する。
【００３３】
ヒータコア２３は少なくともその伝熱部分が空調ケース２０内の温風側通路のみに位置するように蒸発器８よりも送風空気の下流側に配置されている。ヒータコア２３は暖房サイクル運転時において、内部を流れるエンジン３０の冷却水の熱を利用して周囲の空気を加熱する加熱用熱交換器として機能する。
【００３４】
凝縮器３は、少なくともその伝熱部分が空調ケース２０内の温風側通路のみに位置して配置されており、ヒータコア２３よりもさらに送風空気の下流側に配置されている。凝縮器３は暖房サイクル運転時、除湿サイクル運転時および冷房サイクル運転時において内部を流れる冷媒の放熱作用によって温風側通路を流れる送風空気を加熱する熱交換器として機能する。
【００３５】
ＰＴＣヒータ（positive temperature coefficient）２４は、少なくともその伝熱部分が温風側通路のみに位置して設置されており、凝縮器３よりもさらに送風空気の下流側に配置されている。ＰＴＣヒータ２４は暖房サイクル運転や冷房サイクル運転において温風側通路を流れる送風空気を加熱する補助的な加熱手段である。ＰＴＣヒータ２４は、通電発熱素子部を備え、通電発熱素子部に通電されることによって発熱し、周囲の空気を暖めることができる。
【００３６】
この通電発熱素子部は、耐熱性を有する樹脂材料（例えば、６６ナイロンやポリブタジエンテレフタレートなど）で成形された樹脂枠の中に複数個のＰＴＣ素子を嵌め込むことにより構成したものである。また、ＰＴＣヒータ２４は、さらに通電発熱素子部からの発熱を伝達する熱交換フィン部を有してもよい。この熱交換フィン部は、アルミニウムの薄板を波形状に成形したコルゲートフィンと、このコルゲートフィンを一定の形状に保つとともにＰＴＣ素子や電極板との接触面積を確保するアルミニウムプレートと、をろう付け接合することにより構成したものである。
【００３７】
蒸発器８よりも下流側であってヒータコア２３や凝縮器３よりも上流側の通風路には、蒸発器８を通過した空気を、凝縮器３を通る空気と凝縮器３を迂回する空気とに分けたり、切り替えたりして、これらの空気の風量比率を調整できるエアミックスドア２２が設けられている。
【００３８】
エアミックスドア２２は、アクチュエータ等によりそのドア本体位置を変化させることで、空調ケース２０内の二分された通路である温風側通路および冷風側通路のそれぞれの一部または全部を塞ぐことができる。そして、エアミックスドア２２による温風側通路の開度は、温風側通路の横断方向の開口が開放される割合のことであり、０から１００％の範囲で調整可能である。また、エアミックスドア２２による冷風側通路の開度は、冷風側通路の横断方向の開口が開放される割合のことであり、０から１００％の範囲で調整可能である。
【００３９】
ヒートポンプサイクル１は、圧縮機２、凝縮器３、三方弁４、室外熱交換器５、第１膨張弁１０、第２膨張弁７、蒸発器８、アキュムレータ９、及び各電磁弁１１〜１４を備える。ヒートポンプサイクル１は、冷凍サイクル内を流れる冷媒（例えば、Ｒ１３４ａ、ＣＯ２等）の状態変化を利用することにより、冷房用の蒸発器８と暖房用の凝縮器３によって冷房、暖房および除湿を行うことができる。また、蒸発器８と凝縮器３とは、室外熱交換器５に対して、室内熱交換器を構成する。
【００４０】
冷房サイクル運転時の冷媒は、図１の太字実線の経路を白抜き矢印の向きに流れる。ヒートポンプサイクル１の冷房サイクルは、除湿能力が大きく、図１に示すように冷媒を吸入して吐出する圧縮機２と、圧縮機２から吐出された冷媒が流入する凝縮器３と、冷房サイクル運転時に凝縮器３から流入する冷媒が空気と熱交換して放熱する室外熱交換器５と、凝縮器３を流出した冷媒が室外熱交換器５に向かわせる三方弁４と、室外熱交換器５から蒸発器８への冷媒流れを制御するように設けられた電磁弁１１と、電磁弁１１によって開放された流路を通ってきた冷媒を減圧する第２膨張弁７と、第２膨張弁７で減圧された冷媒が蒸発して送風空気を冷却する蒸発器８と、冷媒を気液分離するアキュムレータ９と、を配管により環状に接続することにより形成されている。冷房サイクル運転経路は、圧縮機２→凝縮器３→三方弁４→室外熱交換器５→電磁弁１１→第２膨張弁７→蒸発器８→アキュムレータ９→圧縮機２となる。
【００４１】
このように冷房サイクル運転経路は、三方弁４を室外熱交換器５側の流路と連通するように切り替えることによって、冷房サイクル運転時に凝縮器３で送風空気と熱交換して冷却された冷媒が第１膨張弁１０を通らないで室外熱交換器５に流入し、電磁弁１１によって開放された流路を通り第２膨張弁７で減圧された後、蒸発器８に流入し、アキュムレータ９を経由して圧縮機２に吸入される経路である。冷房サイクル運転では、凝縮器として機能する室外熱交換器５から、熱が室外に放出され、蒸発器８から熱が吸収される。このとき、凝縮器３も発熱しているが、エアミックスドア２２の位置制御で、車室内空気との熱交換量を少なくすることができる。また、電磁弁１１と第２膨張弁７との間の通路には、逆流防止用の逆止弁１５が設けられている。
【００４２】
暖房サイクル運転時の冷媒は、図２の太字実線の経路を黒塗り矢印の向きに流れる。ヒートポンプサイクル１の暖房サイクルは、暖房性能が大であり、除湿能力無しの運転であり、図２に示すように圧縮機２と、暖房サイクル運転時に圧縮機２から吐出された冷媒と空気とを熱交換させて空気を加熱する凝縮器３と、暖房サイクル運転時に凝縮器３から流入した冷媒を減圧する減圧装置としての第１膨張弁１０と、第１膨張弁１０から室外熱交換器５への冷媒流れを制御するように設けられた電磁弁１４と、暖房サイクル運転時に第１膨張弁１０で減圧された冷媒を蒸発させる室外熱交換器５と、室外熱交換器５から圧縮機２への冷媒流れを制御するように設けられた電磁弁１２と、アキュムレータ９と、を配管により環状に接続することにより形成されている。暖房サイクル運転経路は、圧縮機２→凝縮器３→三方弁４→第１膨張弁１０→電磁弁１４→室外熱交換器５→電磁弁１２→アキュムレータ９→圧縮機２となる。また、電磁弁１２とアキュムレータ９との間の通路には、逆流防止用の逆止弁１６が設けられている。なお、室外空気が極めて低いときは、暖房サイクルによる暖房は効率が悪いので、冷房サイクルにてエンジン３０を稼動させ、エンジン冷却水（温水）の温度を上げて、ヒータコア２３の熱で車室内が暖房される。
【００４３】
第１の除湿サイクル運転時の冷媒は、図３の太字実線の経路を斜線太矢印の向きに流れる。ヒートポンプサイクル１の第１の除湿サイクルは、暖房性能が小、除湿能力が中レベルの運転であり、例えば、操作パネル５１の操作等により、暖房能力が小レベルで車室内の除湿を行うときに選択されて実行される。第１の除湿サイクルは、図３に示すように圧縮機２、凝縮器３、第１膨張弁１０、第１膨張弁１０から蒸発器８への冷媒流れを制御するように設けられた電磁弁１３、第１膨張弁１０で減圧された冷媒を蒸発させる蒸発器８、及びアキュムレータ９を配管により環状に接続することにより形成されている。第１の除湿サイクル運転経路は、圧縮機２→凝縮器３→三方弁４→第１膨張弁１０→電磁弁１３→蒸発器８→アキュムレータ９→圧縮機２となる。この第１の除湿サイクル運転経路は、第１膨張弁１０で減圧された冷媒が室外熱交換器５に流入しないで蒸発器８に流入して送風空気を冷却した後、アキュムレータ９を経由して圧縮機２に吸入される経路である。
【００４４】
第２の除湿サイクル運転時の冷媒は、図４の太字実線の経路を斜線太矢印の向きに流れる。ヒートポンプサイクル１の第２の除湿サイクルは、暖房性能が中レベル、除湿能力が小レベルの運転であり、例えば、操作パネル５１の操作等により、暖房能力が中レベルで車室内の除湿を行うときに選択されて実行される。第２の除湿サイクルは、図４に示すように第１の除湿サイクル運転経路に加え、第１膨張弁１０と電磁弁１３の間で分岐した冷媒経路を有する。この分岐する冷媒経路は、第１膨張弁１０と電磁弁１３の間の通路から電磁弁１４、室外熱交換器５及び電磁弁１２を通り、蒸発器８とアキュムレータ９の間の通路に合流するようになっている。これにより、第２の除湿サイクル運転経路は、圧縮機２→凝縮器３→三方弁４→第１膨張弁１０→電磁弁１３→蒸発器８→アキュムレータ９→圧縮機２の経路と、第１膨張弁１０→室外熱交換器５→電磁弁１２→アキュムレータ９の経路とで構成される。この第２の除湿サイクル運転経路は、第１膨張弁１０で減圧された冷媒が、室外熱交換器５に流入しないで蒸発器８に流入して送風空気を冷却した後、アキュムレータ９を経由して圧縮機２に吸入される経路と、室外熱交換器５に流入して空気から吸熱した後、アキュムレータ９を経由して圧縮機２に吸入される経路と、を有している。
【００４５】
圧縮機２は、内蔵された電動モータ２ａにより駆動され、回転数制御が可能であり、回転数に応じて冷媒吐出量が可変である。圧縮機２はインバータ９０により周波数が調整された交流電圧が印加されてその電動モータ２ａの回転速度が制御される。インバータ９０は車載電池から直流電源の供給を受け、エアコンＥＣＵ５０により制御される。
【００４６】
室外熱交換器５は、エンジンコンパートメント等の車室外に配置されて、外気と冷媒との熱交換を行うもので、室外ファン６から強制的に送風を受けて暖房サイクル運転時には蒸発器として機能し、冷房サイクル運転時には凝縮器として機能する。
【００４７】
第１膨張弁１０は固定絞り等の固定式膨張弁（例えばキャピラリチューブ）、定圧式膨張弁、機械式膨張弁等で構成される。第１膨張弁１０は、暖房サイクル運転時に室外熱交換器５へ供給される冷媒を減圧膨脹させる。第２膨張弁７は感温筒を備え、蒸発器８出口の冷媒の蒸発状態が適度な過熱度をもつように出口冷媒温度をフィードバックし適切な弁開度によって冷媒流量を制御する温度作動方式を採用している。暖房サイクル及び各除湿サイクルでは、第２膨張弁７で減圧された低圧冷媒を蒸発器８で吸熱して蒸発させ、蒸発器８を通過した冷媒をアキュムレータ９に流入させ、アキュムレータ９で蒸発器８の出口冷媒の気液を分離し、アキュムレータ９内のガス冷媒を圧縮機２に吸入させる。
【００４８】
蒸発器８は、送風空気を冷却する冷却用熱交換器であり、冷房サイクル運転時に蒸発器として機能する。この蒸発器８は、第２膨張弁７で減圧膨脹された低温低圧の冷媒と空気との熱交換を行うことにより、コア部を通過する空気を冷却する。
【００４９】
凝縮器３は、送風空気を加熱する加熱用熱交換器であり、空調ケース２０内で蒸発器８の下流（風下）に配設されて、圧縮機２で圧縮された高温高圧の冷媒と空気との熱交換を行うことにより、コア部を通過する空気を加熱する。ウォータポンプ３１は、エンジン冷却水が循環する回路に設けられ、エンジン冷却水から成る温水をヒータコア２３に供給する。このヒータコア２３は、凝縮器３と共に送風空気を加熱する加熱器として機能する。
【００５０】
エアミックスドア２２は、蒸発器８からの冷風と凝縮器３等（加熱器）との暖風との混合割合を制御する。アキュムレータ９は、冷凍サイクル内の過剰冷媒を一時蓄えると共に、気相冷媒のみを送り出して、圧縮機２に液冷媒が吸い込まれるのを防止する。
【００５１】
三方弁４、常開型の電磁弁１１、常閉型の電磁弁１２、常閉型の電磁弁１３、及び常開型の電磁弁１４は、流路切替手段であり、これらの上記各サイクルにおける動作状態は図５に示すとおりである。
【００５２】
冷媒圧力センサ４０は、ヒートポンプサイクル１の高圧側の流路に設けられ、凝縮器３よりも上流の冷媒の高圧圧力、すなわち圧縮機２の吐出圧力Ｐｒｅを検出する。また、冷媒吸入温度センサ４１は、室外熱交換器５の冷媒流れの下流側に設けられ、冷媒吸入温度を検出する。
【００５３】
エアコンＥＣＵ５０は、車室内の空調運転を制御する制御手段であり、マイクロコンピュータと、車室内前面に設けられた操作パネル５１上の各種スイッチからの信号や、冷媒圧力センサ４０、冷媒吸入温度センサ４１、内気センサ４２、外気センサ（外気温検出手段）４３、日射センサ４４、入口温度センサ４５等からセンサ信号が入力される入力回路と、各種アクチュエータに出力信号を送る出力回路と、を備えている。マイクロコンピュータは、ＲＯＭ（読み込み専用記憶装置）、ＲＡＭ（読み込み書き込み可能記憶装置）等のメモリおよびＣＰＵ（中央演算装置）等から構成されており、操作パネル５１等から送信された運転命令に基づいた演算に使用される各種プログラムを有している。
【００５４】
エアコンＥＣＵ５０は、上記の各サイクル運転時に、エアコン環境情報、エアコン運転条件情報及び車両環境情報を受信してこれらを演算し、圧縮機２の設定すべき容量を算出する。そして、エアコンＥＣＵ５０は、演算結果に基づいてインバータ９０に対して制御信号を出力し、インバータ９０によって圧縮機２の出力量は制御される。
【００５５】
このように乗員による操作パネル５１や携帯機５２の操作によって、空調装置の運転・停止および設定温度などの操作信号などがエアコンＥＣＵ５０に入力されて各種センサの検出信号が入力されると、エアコンＥＣＵ５０は、エンジンＥＣＵ６０、ハイブリッドＥＣＵ７０、ナビゲーションＥＣＵ８０等と通信し、各種の演算結果に基づいて、圧縮機２、室内用ブロワ２１、室外ファン６、ＰＴＣヒータ２４、三方弁４、電磁弁１１〜１４、内外気切替ドア２５、吹出口切替ドア２６等の各機器の運転を制御する。ナビゲーションＥＣＵ８０は、たとえば自車の位置情報をエアコンＥＣＵ５０に送信しする。
【００５６】
図７は、エアコンＥＣＵ５０による基本的な制御処理を示したフローチャートである。図７において、イグニッションスイッチが投入されてエアコンＥＣＵ５０に電源が供給されると制御がスタートする。以降の各ステップＳに係る処理は、エアコンＥＣＵ５０によって実行されるものである。
【００５７】
（プレ空調判定）
エアコンＥＣＵ５０は、上記の各種センサからの信号、操作パネル５１に設けられた各種操作部材からの信号、または遠隔操作可能な操作手段である携帯機５２からの信号等に基づいて、車室内を空調するように構成されている。車両が継続的に停止して乗員が搭乗していないときには、エアコンＥＣＵ５０は、上記携帯機５２からのプレ空調要求の有無、または予め設定されたプレ空調運転指令を監視している。
【００５８】
図７のステップＳ１では、携帯機５２からプレ空調要求があった場合、または予め送信入力された空調要求時刻に基づいてプレ空調を開始するタイミングとなった場合には、車両が停止状態であるか否かを判断するとともに、電源電力がプレ空調作動時の要求電力に対し大きいか否か判断する。車両が停止状態であり、電源電力がプレ空調要求電力より大きいことを確認したら、プレ空調の実施を許可するためにプレ空調フラグを立てる。
【００５９】
（イニシャライズ）
次に、ステップＳ２で図６のエアコンＥＣＵ５０内のＲＡＭ等の記憶されている各パラメータ等を初期化する。
【００６０】
（スイッチ信号読み込み）
次に、ステップＳ３で操作パネル５１等からのスイッチ信号等を読み込む。
【００６１】
（センサ信号読み込み）
次に、ステップＳ４で上記の各種センサからの信号を読み込む。
【００６２】
（ＴＡＯ算出基本制御）
次に、ステップＳ５で、ＲＯＭに記憶された下記の数式１を用いて、車室内に吹き出す空気の目標吹出温度ＴＡＯを算出する。
【００６３】
ＴＡＯ＝Ｋｓｅｔ×Ｔｓｅｔ−Ｋｒ×Ｔｒ−Ｋａｍ×Ｔａｍ−Ｋｓ×Ｔｓ＋Ｃ
…（１）
ここで、Ｔｓｅｔは、温度設定スイッチにて設定された設定温度、Ｔｒは内気センサ４２にて検出された内気温度、Ｔａｍは外気センサ４３にて検出された外気温度、Ｔｓは日射センサ４４にて検出された日射量である。また、Ｋｓｅｔ，Ｋｒ，Ｋａｍ及びＫｓは各ゲインであり、Ｃは全体にかかる補正用の定数である。そして、このＴＡＯ及び上記各種センサからの信号により、エアミックスドア２２のアクチュエータの制御値及びウォータポンプ３１の回転数の制御値等を算出する。
【００６４】
（サイクル・ＰＴＣ選択）
次に、ステップＳ６で、運転すべきサイクルの選択及びＰＴＣヒータ２４の通電本数の選択を実行する。たとえばプレ空調フラグが立っており、外気温が−３℃より低い場合は、ヒートポンプサイクル１による暖房の効率が悪くなり、かつ室外熱交換器５に着霜しやすくなるため、ＰＴＣヒータ２４によるプレ空調を実施するのでＰＴＣヒータ２４に通電する。外気温が−３℃以上の場合は、自動運転での吹出口モードがフェイスモードの場合には、ヒートポンプサイクル１による暖房の必要なしと判断して、冷房サイクルによるプレ空調を実施する。外気温が−３℃以上であり、フェイスモード以外の場合には、暖房サイクルによる暖房のプレ空調を実施する。
【００６５】
プレ空調フラグが立っておらず、プレ空調でなく、外気温が−３℃より低い場合は、暖房サイクルによる暖房の効率が悪くなり、かつ、室外熱交換器５に着霜しやすくなるため、冷房サイクルによる空調を実施する。なお、このときは、エンジン３０を稼動し、温水及びヒータコア２３の温度を上昇させるようにする。プレ空調でなく、外気温が−３℃以上でフェイスモードである場合は、ヒートポンプサイクル１による暖房の必要なしと判断して、冷房サイクルでの空調を実施する。プレ空調でなく、外気温が−３℃以上でフェイスモードでないと判定された場合は、ヒートポンプサイクル１による暖房の必要有りと判断して、暖房サイクルでの空調を実施する。
【００６６】
（ブロワ電圧決定）
次に、図７に示すステップＳ７において、ＲＯＭに記憶されたマップを用いて目標吹出温度ＴＡＯに対応するブロワ電圧（室内用ブロワ２１のモータに印加する電圧）を決定する。すなわち、室内用ブロワ２１のブロワモータへの印可電圧を決定する。このステップＳ７は、具体的には図８に基づいて実行される。図８は、図７のステップＳ７におけるブロワ電圧決定処理の詳細を示すフローチャートである。
【００６７】
図９に示すように、まずステップＳ３９０で自動運転（オート）であるか否かを判定する。自動運転でない場合は、ステップＳ３９１にて、操作パネル５１で操作された風量設定に相当する印加電圧が決定され（ＨＩのときは１２Ｖ、Ｍ３のときは１０Ｖ、Ｍ２ときは８Ｖ、Ｍ１のときは６Ｖ、ＬＯのときは４Ｖ）、ブロワ電圧決定処理を終了する。
【００６８】
ステップＳ３９０で自動運転であると判定されると、ステップＳ３９２でＴＡＯに応じて仮のブロワ電圧を算出する。この仮のブロワ電圧の算出処理は、図８に示すステップＳ３９２のマップを用いて算出される。このマップは、目標吹出温度ＴＡＯ（℃）とブロワ電圧（Ｖ）との関係を表したものであり、仮のブロワ電圧は、ＴＡＯが１０℃以上４０℃以下のときは６Ｖに算出されるものである。
【００６９】
次に、ステップＳ３９３において、ステップＳ３９３に示すマップを用いて、ヒータコア２３の水温及びＰＴＣ作動本数に応じて仮のウオームアップ風量（ｆ（ＴＷ））を算出する。次に、ステップＳ３９４において、吹出口がフット（ＦＯＯＴ）かバイレベル（Ｂ／Ｌ）かフットデフ（Ｆ／Ｄ）か否かを判定し、ＦＯＯＴ、Ｂ／Ｌ、Ｆ／Ｄの場合には、ステップＳ３９６にて、ｆ（ＴＡＯ）とｆ（ＴＷ）の小さい方をブロワレベルと決定する。
【００７０】
ステップＳ３９４にて吹出口がＦＯＯＴ、Ｂ／Ｌ、Ｆ／Ｄ以外の場合には、ステップＳ３９７にて吹出口がデフ（ＤＥＦ）か否かを判定する。ＤＥＦの場合、ステップＳ３９９にて、風量下限値α＝２２に設定する。ＤＥＦ以外の場合、ステップＳ３９８にて、風量下限値α＝０に設定する。そして、ステップＳ４００にて、ブロワレベルをｆ（ＴＡＯ）とαの大きい方を選択する。最後に、Ｓ４０１にて、決定されたブロワレベルを、マップを用いてブロワ電圧に変換し、本制御を終了する。これによってＤＥＦ時に風量ＵＰすることで、ウインドウ温度上昇およびウインドウ近傍湿度の低下を行う。
【００７１】
（吸込口モード決定）
次に、図７のステップＳ８で、ＲＯＭに記憶されたマップから、目標吹出温度ＴＡＯに対応する吸込口モードを決定する。具体的には、目標吹出温度ＴＡＯが高いときには、内気循環モードが選択され、目標吹出温度ＴＡＯが低いときには、外気導入モードが選択される。
【００７２】
（吹出口モード決定）
次に、図７のステップＳ９で、ＲＯＭに記憶されたマップから、目標吹出温度ＴＡＯに対応する吹出口モードを決定する。このステップＳ９は、具体的には図９および図１０に基づいて実行される。図９は、図７のステップＳ９における吹出モード決定処理の第１段階の詳細を示すフローチャートである。図１０は、図７のステップＳ９における吹出モード決定処理の第２段階の詳細を示すフローチャートである。図９および図１０に示す処理は、並行して実施されるか、または順次（順不同）実施される。
【００７３】
図９に示すように、ステップＳ４００において、イグニッション（ＩＧ）  ＯＮ中か否かを判定する。ＩＧ  ＯＮ中の場合はステップＳ４０１でＴＡＯを用いて吹出口を演算する。具体的には、目標吹出温度ＴＡＯが高いときには、フットモードが選択され、目標吹出温度ＴＡＯの低下に伴ってバイレベルモード、さらにはフェイスモードの順に選択され、本制御を終了する。
【００７４】
ステップＳ４００でＩＧ  ＯＦＦの場合、ステップＳ４０２でＩＧ  ＯＮ→ＯＦＦから予め設定される経過時間、たとえば６０分経過したか否かを判定する。経過していた場合、ステップＳ４０３にて、ＩＧ  ＯＦＦ時ＤＥＦモードだったか否かを判定する。ＤＥＦモードだった場合、ステップＳ４０４にて、現在の外気温が所定温度、たとえば０℃を超えているか否かを判定する。超えている場合には、ステップＳ４０５Ａで、ＤＥＦモードをキャンセルし、ＤＥＦになる以前のモード（オートｏｒマニュアル固定）へ遷移して本制御を終了する。
【００７５】
ステップＳ４０２で６０分経過していない場合、ステップＳ４０３でＩＧ  ＯＦＦ時ＤＥＦモードでない場合、およびステップＳ４０４で外気温が０℃以下の場合は、ステップＳ４０６で、ＩＧ  ＯＦＦ時の吹出モードが保持され、本制御を終了する。
【００７６】
このような吹出口モード決定処理によって、ＩＧ  ＯＦＦ後、所定時間経過したら、エンジンＯＮを要求するＤＥＦモードをキャンセルすることで、操作性向上と燃費向上・車外音低減・充電電力の有効利用ができる。また、ＤＥＦモードがウインドウヒータ・ドアミラーヒータ・ＲｒＤＥＦ・風量ＵＰ・コンプレッサ稼働率向上補助ヒータ作動等を伴っている場合、これらの作動もキャンセルできるので、充電電力の有効利用が更に達成できる。また、外気温が非常に低い時は、次回車両起動時に窓が曇っていたり凍っている可能性があるので、ＤＥＦモードの解除は行わないことで防曇性を確保する。ステップＳ４０５の判定条件は、外気温以外にも、室温、日射量、エバポレータ温度、ウインドウ温度、湿度等を用いても同様の効果が得られる。
【００７７】
図１０に示すように、ステップＳ４０２Ａにおいて、ＩＧ  ＯＦＦ→ＯＮになったか否かを判定する。ＯＮになった場合、ステップＳ４０３Ａにて、ＩＧ  ＯＦＦ時ＤＥＦモードだったか否かを判定する。ＤＥＦモードだった場合、ステップＳ４０４Ａにて、現在の外気温が所定温度、たとえば０℃を超えているか否かを判定する。超えている場合には、ステップＳ４０５Ａで、ＤＥＦモードをキャンセルし、ＤＥＦになる以前のモード（オートｏｒマニュアル固定）へ遷移して本制御を終了する。
【００７８】
ステップＳ４０２ＡでＯＮになっていない場合、ステップＳ４０３ＡでＩＧ  ＯＦＦ時ＤＥＦモードでない場合、およびステップＳ４０４Ａで外気温が０℃以下の場合は、ステップＳ４０６Ａで、ＩＧ  ＯＦＦ時の吹出モードが保持され、本制御を終了する。
【００７９】
このような吹出口モード決定処理によって、ＩＧ  ＯＮ時、外気温が所定以上高いなどの場合、エンジンＯＮを要求するＤＥＦモードをキャンセルすることで操作性向上と燃費向上・車外音低減・充電電力の有効利用ができる。また、ＤＥＦモードがウインドウヒータ・ドアミラーヒータ・ＲｒＤＥＦ・風量ＵＰ・コンプレッサ稼働率向上補助ヒータ作動等を伴っている場合、これらの作動もキャンセルできるので、充電電力の有効利用が更に達成できる。Ｓ４０４Ａの判定条件は、外気温以外にも、室温、日射量、エバポレータ温度、ウインドウ温度、湿度等を用いても同様の効果が得られる。
【００８０】
（圧縮機回転数等決定）
次に、図７のステップＳ１０で圧縮機回転数等の決定を実行する。圧縮機回転数の決定は、各種センサの検出信号を用いて算出した目標蒸発器後温度ＴＥＯと、実際の蒸発器後温度ＴＥを用いた周知の方法を採用するものとし、ここでは説明を省略する。
【００８１】
（室外ファンの出力量決定）
次に、図７に示すステップＳ１１で室外ファン６の出力量を決定する。ここでは、室外ファン６の出力量に相当する風量、仕事量等を制御するために、室外ファン６のモータへの印可電圧を決定する。決定される印加電圧は、複数の段階から選択されるもので、大きい印加電圧ほどファンの回転数が大きく、同様に風量及び騒音値も大きくなる。
【００８２】
（ＰＴＣ・デフォッガの作動決定）
次に、図７のステップＳ１２でＰＴＣ・デフォッガの作動決定を実行する。このステップＳでは、空調運転に使用することが可能な使用許可電力と、実際の圧縮機２の消費電力との差に基づいて、圧縮機回転数の増減量を決定すると共に、ＰＴＣヒータ２４またはデフォッガの作動を決定する。ここでいう使用許可電力は、プラグイン仕様により車両に供給される商用電源の電力量及び電池の充電量の少なくとも一方から求められる当該使用許可電力であり、空調運転に使用できる使用電力の制限を示している。また、当該使用許可電力は、電池から供給可能な電力またはプラグインにより供給される商用電源（１００Ｖまたは２００Ｖ）の電力の中から空調運転用に割り当てることができる電力であってもよい。
【００８３】
（各弁ＯＮ／ＯＦＦ決定）
次に、図７のステップＳ１３において、所定の各サイクルで制御が実行できるよう、サイクル中の三方弁４及び電磁弁１１〜１４のＯＮまたはＯＦＦ作動について決定する。この制御では、図５に示した各サイクルに対応する各弁の動作状態となるように、各弁の作動をオン、オフする出力信号を決定する。
【００８４】
（エンジンＯＮ要求有無決定）
次に、図７に示すステップＳ１４でエンジンＯＮの要求有無を決定する。このステップＳ１４は、具体的には図１１に基づいて実行される。図１１は、図７のステップＳ１４におけるエンジンＯＮ要求有無決定処理の詳細を示すフローチャートである。
【００８５】
図１１に示すように、本制御がスタートすると、ステップＳ３０にて、エンジン冷却水温度に基づくエンジンＯＮ要求の要否判定に用いる判定しきい値であるエンジンＯＦＦ水温と、エンジンＯＮ水温を算出する。エンジンＯＦＦ水温は、エンジンを停止させるときの判定基準となるエンジン冷却水温度であり、エンジンＯＮ水温は、エンジンを作動させるときの判定基準となるエンジン冷却水温度である。
【００８６】
エンジンＯＦＦ水温は、次の数式２で算出された基準冷却水温度ＴＷＯと、７０℃とのうちの小さい方に決定される（数式３参照）。なお、基準冷却水温度ＴＷＯは、エアミックス前の温風温度が目標吹出温度ＴＡＯになるものと仮定したときに、必要とされる冷却水温度である。ＴＥは、エバ後温度である。ΔＴｐｔｃは、ＰＴＣヒータ２４による吹出温度の上昇推定温度である。
【００８７】
ＴＷＯ＝｛ＴＡＯ−ΔＴｐｔｃ）−（ＴＥ×０．２）｝／０．８     …（２）
エンジンＯＦＦ水温＝ＭＩＮ（ＴＷＯ，７０）                    …（３）
一方、エンジンＯＮ水温は、頻繁にエンジンがＯＮ／ＯＦＦするのを防止するため、エンジンＯＦＦ水温よりも所定温度（本例では５℃）低く設定される。
【００８８】
次に、ステップＳ３１では、エンジン冷却水温度に基づくエンジンＯＮ要求の要否決定を行う。具体的には、実際の冷却水温度を、ステップＳ３０で求めたエンジンＯＦＦ水温およびエンジンＯＮ水温と比較する。そして、冷却水温度がエンジンＯＮ水温より低ければ、ｆ（ＴＷ）＝ＯＮとしてエンジンの作動を仮決定し、冷却水温度がエンジンＯＦＦ水温より高ければ、ｆ（ＴＷ）＝ＯＦＦとしてエンジンの停止を決定する。
【００８９】
次に、ステップＳ３２では、シートヒータがＯＮになっているか否かを判断し、ＯＮの場合は、ステップＳ３３に移り、ＯＦＦの場合は、ステップＳ３４に移る。シートヒータが搭載されていない車両では、常にＯＦＦとなる。ステップＳ３３では、シートヒータがＯＮであるので、ステップＳ３３に示すマップを用いて、シートヒータがＯＮである場合の日射量に応じた補正量としてｆ（日射量）が決定され、ステップＳ３５に移る。
【００９０】
ステップＳ３４では、シートヒータがＯＦＦであるので、ステップＳ３４に示すマップを用いて、シートヒータがＯＦＦである場合の日射量に応じた補正量としてｆ（日射量）が決定され、ステップＳ３５に移る。
【００９１】
次に、ステップＳ３５では、ｆ（日射量）に基づくｆ（外気温）のオンオフを決定する。具体的には、実際の外気温を、求めたｆ（日射量）およびｆ（日射量）＋２と比較する。そして、外気温がｆ（日射量）＋２より低ければ、ｆ（外気温）＝ＯＮとし、外気温がｆ（日射量）より高ければ、ｆ（外気温）＝ＯＦＦとして、ステップＳ３６に移る。
【００９２】
次に、ステップＳ３６では、ステップＳ３６に示すマップを用いて、エンジンＯＮ要求を決定し、本制御を終了する。出力のエンジンＯＮ要求に関して、ステップＳ３１にて決定したｆ（ＴＷ）に原則従うが、太枠で示した場合、すなわち吹出口＝ＤＥＦ以外のモード、車両モード＝エコモード、ＴＡＯ＝２０℃以上、ｆ（ＴＷ）＝ＯＮの時、通常はエンジンＯＮを許可するが、ｆ（外気温）＝ＯＦＦの場合には、エンジンＯＮを許可しない。ＤＥＦモードの場合は、防曇性を重視し、エンジンＯＮを行うことで、ＤＥＦ吹出温をＵＰし、ウインドウ温度の上昇及びＤＥＦ吹き出し風の相対湿度低減を行う。
【００９３】
このようなエンジンＯＮ要求有無決定処理によって、ＤＥＦ以外のモードの場合、外気温や日射量に応じて、ｆ（ＴＷ）がＯＮであっても、エンジン要求がＯＦＦにされる。したがってｆ（外気温）がＯＦＦの場合は、外部環境によって熱源が必要ないと判断されたからである。これによってエネルギー消費を抑制することができる。
【００９４】
（着霜判定・除霜制御）
次に、図７のステップＳ１５において、着霜判定を行い、着霜と判定されるときは除霜制御を実行する。着霜判定・除霜制御では、プレ空調及び乗車中空調（プレ空調以外の空調）において、冷媒吸入温度センサ４１によって検出される冷媒吸入温度に応じて着霜か否かの判定を行い、着霜と判定された場合には暖房サイクル運転の停止、冷房サイクルによる除霜運転を実施する。
【００９５】
（制御信号出力）
次に、図７のステップＳ１６において、上記各ステップＳ１〜１５で算出または決定された各制御状態が得られるように、エンジンＥＣＵ６０、インバータ９０、ＰＴＣヒータ２４、各種アクチュエータ、三方弁４及び電磁弁１１〜１４等に対して制御信号を出力する。そして、図７のステップＳ１７において所定時間の経過を待って、ステップＳ３に戻り、継続して各ステップＳが実行される。
【００９６】
以上説明したように本実施形態の車両用空調装置では、操作者の操作によって車両が駐車状態から走行可能な走行状態に起動したとき（イグニッションがＯＮになったとき）、駐車状態になったときの送風空気の吹出モードとなるように、各部が制御される（図１０のステップＳ４０６Ａ参照）。これによって前回駐車したときの吹出モードを、新たに操作しなくとも継続して用いることができる。
【００９７】
また駐車状態になったときの吹出モードがデフモード（防曇モード）中であった場合には、駐車状態中に外部環境に基づいて防曇モードを維持する必要がないと判断したとき、起動したときは吹出モードをデフモード以外のモードとなるように各部が制御される（図９のステップＳ４０５）。これによってデフモードで起動する必要がない場合に、デフモードで起動することが防止される。したがって操作性を向上することができる。また起動時にデフモードに以外のモードにすることによって、車室内をデフモードよりも快適に空調することができる。したがってデフモードで起動するよりもエネルギー消費を抑制することができる。
【００９８】
本実施形態では、換言すると窓を晴らすＤＥＦモードを備えたハイブリッドシステムで、ＤＥＦモード中に車両システムが停止した場合、所定条件を満たした後、自動的にＤＥＦモードをキャンセルする。これによってＩＧ  ＯＦＦ後、所定時間経過したら、エンジンＯＮを要求するＤＥＦモードをキャンセルすることで、操作性向上と燃費向上・車外音低減・充電電力の有効利用ができる。
【００９９】
また、ＤＥＦモードがウインドウヒータ・ドアミラーヒータ・ＲｒＤＥＦ・風量ＵＰ・コンプレッサ稼働率向上・補助ヒータ作動等を伴っている場合、これらの作動もキャンセルできるので、充電電力の有効利用が更に達成できる。
【０１００】
また本実施形態では、駐車状態になったときの吹出モードがデフモード中であった場合には、起動したときに、外部環境に基づいてデフモードを維持する必要がないと判断したとき、吹出モードをデフモード以外のモードとなるように各部が制御される（図１０のステップＳ４０５Ａ）。これによってデフモードで起動する必要がない場合に、デフモードで起動することが防止される。したがって操作性を向上することができる。また起動時にデフモードに以外のモードにすることによって、車室内をデフモードよりも快適に空調することができる。したがってデフモードで起動するよりもエネルギー消費を抑制することができる。
【０１０１】
また本実施形態では、換言すると、窓を晴らすＤＥＦモードを備えたハイブリッドシステムで、前回走行でＤＥＦモード時に車両システムが起動した場合、所定条件を満たしていた場合は、自動的にＤＥＦモードをキャンセルする。これによってＩＧ  ＯＮ時、外気温が所定以上高いなどの場合、エンジンＯＮを要求するＤＥＦモードをキャンセルすることで、操作性向上と燃費向上・車外音低減・充電電力の有効利用ができる。また、ＤＥＦモードがウインドウヒータ・ドアミラーヒータ・ＲｒＤＥＦ・風量ＵＰ・コンプレッサ稼働率向上・補助ヒータ作動等を伴っている場合、これらの作動もキャンセルできるので、充電電力の有効利用が更に達成できる。
【０１０２】
さらに本実施形態では、駐車状態中に外気温が所定温度（たとえば０℃）よりも大きい場合に、デフモードを維持する必要がないと判断する。これによって外気温が所定温度以下で低温であり、デフモードが必要な場合にデフモードが維持されるので、防曇性を確保することができる。
【０１０３】
さらに本実施形態では、換言すると、外気温が所定温度以上の時にＤＥＦモードのキャンセルを行う。これによって外気温が非常に低い時は、次回車両起動時に窓が曇っていたり凍っている可能性があるので、ＤＥＦモードの解除は行わないことで防曇性を確保することができる。
【０１０４】
また本実施形態では、起動時にデフモードを実施する場合は、エンジンの起動を要求する要求信号の出力する（図１１のステップＳ３６参照）。これによってデフモードにおいて、熱源を確保することができるので、窓曇りの除去を効率よく行うことができる。また起動時にデフモード以外のモードを実施する場合は、外部環境に応じて要求信号の出力を禁止する（図１１のステップＳ３６参照）。これによって不必要なエンジンの起動を抑制することができる。したがって窓晴らし性確保と燃費向上および車外音低減することができる。
【０１０５】
（第２実施形態）
次に、本発明の第２実施形態に関して、図１２を用いて説明する。図１２は、第２実施形態に係る車両用空調装置１０１の構成を説明するための模式図である。本実施形態の車両用空調装置１０１における室内空調ユニットは、車室内最前部のインストルメントパネルの内側に配置されて、その外殻を形成する空調ケース２０内に室内用ブロワ２１、蒸発器８、ヒータコア２３、ＰＴＣヒータ２４等を収容している。また、車両用空調装置１０１における制御構成は、図６に示すブロック図と同様である。以下に、車両用空調装置１０１に係る説明として、図１２に示す形態を中心に第１実施形態と異なる構成について説明する。
【０１０６】
空調ケース２０は、車室内に送風される送風空気の空気通路を形成しており、ある程度の弾性を有し、強度的にも優れたポリプロピレン等の樹脂にて成形されている。空調ケース２０内の送風空気流れ最上流側には、内気（車室内空気）と外気（車室外空気）とを切り替え導入する内外気切替箱が配置されている。
【０１０７】
内外気切替箱には、空調ケース２０内に内気を導入させる内気導入口２５ａおよび外気を導入させる外気導入口２５ｂが形成されている。さらに、内外気切替箱の内部には、内気導入口２５ａおよび外気導入口２５ｂの開口面積を連続的に調整して、内気の風量と外気の風量との風量割合を変化させる内外気切替ドア２５が配置されている。
【０１０８】
内外気切替ドア２５は、空調ケース２０内に導入される内気の風量と外気の風量との風量割合を変化させる吸込口モードを切り替える風量割合変更手段を構成する。内外気切替ドア２５は、内外気切替ドア２５用の電動アクチュエータによって駆動され、この電動アクチュエータは、エアコンＥＣＵ５０から出力される制御信号によって、その作動が制御される。
【０１０９】
また、吸込口モードとしては、内気導入口２５ａを全開とするとともに外気導入口２５ｂを全閉として空調ケース２０内へ内気を導入する内気モード、内気導入口２５ａを全閉とするとともに外気導入口２５ｂを全開として空調ケース２０内へ外気を導入する外気モード、さらに、内気モードと外気モードとの間で、内気導入口２５ａおよび外気導入口２５ｂの開口面積を連続的に調整することにより、内気と外気の導入比率を連続的に変化させる内外気混入モードがある。
【０１１０】
内外気切替箱の空気流れ下流側には、内外気切替箱を介して吸入した空気を車室内へ向けて送風する室内用ブロワ２１が配置されている。この室内用ブロワ２１は、遠心多翼ファンを電動モータにて駆動する電動送風機であり、エアコンＥＣＵ５０から出力される制御電圧によって回転数が制御される。
【０１１１】
室内用ブロワ２１の空気流れ下流側には、蒸発器８が配置されている。蒸発器８は、その内部を流通する冷媒と送風空気とを熱交換させて送風空気を冷却する冷却用熱交換器である。蒸発器８は、圧縮機２、室外熱交換器５（凝縮器）、アキュムレータ９、膨張弁１０等とともに、冷凍サイクル１Ａを構成している。
【０１１２】
圧縮機２は、エンジンルーム内に配置され、冷凍サイクル１Ａにおいて冷媒を吸入し、圧縮して吐出するものである。圧縮機２は、車両のエンジンルーム内に搭載されたエンジン３０の出力軸によるベルト駆動されて、冷媒を吸入して、圧縮して吐出する。圧縮機２は、エンジン３０から圧縮機２への回転動力の伝達を断続するクラッチ手段としての電磁クラッチ（図示せず）が連結されている。この電磁クラッチは、クラッチ駆動回路（図示せず）により制御される。
【０１１３】
電磁クラッチが通電（ＯＮ）された時に、エンジン３０の回転動力が圧縮機２に伝達されて、蒸発器８による空気冷却作用が行われ、電磁クラッチの通電が停止（ＯＦＦ）した時に、エンジン３０と圧縮機２とが遮断され、蒸発器８による空気冷却作用が停止される。電磁クラッチのオンオフは、エバ後温度センサが検出するエバ後温度（ＴＥ）と、目標エバ後温度（ＴＥＯ）との比較結果に応じて制御される。したがって圧縮機は、電動発電機３０Ａの電力を動力源の１つとしている。
【０１１４】
凝縮器として機能する室外熱交換器５は、エンジンルーム内に配置されて、内部を流通する冷媒と、室外ファン６から送風された車室外空気（外気）とを熱交換させることにより、圧縮された冷媒を凝縮液化させるものである。室外ファン６は、エアコンＥＣＵ５０から出力される制御電圧によって稼働率、すなわち、回転数（送風空気量）が制御される電動式送風機である。
【０１１５】
アキュムレータ９は、凝縮液化された冷媒を気液分離して余剰液冷媒を蓄えるとともに、液冷媒のみを下流に流す。膨張弁１０は、液冷媒を減圧膨張させる減圧手段である。蒸発器８は、冷媒と送風空気との熱交換により、減圧膨張された冷媒を蒸発気化させる。
【０１１６】
空調ケース２０内において、蒸発器８の空気流れ下流側には、蒸発器８を通過した後の空気を流す加熱用冷風通路２８ａ、冷風バイパス通路２８ｂといった空気通路、並びに、加熱用冷風通路２８ａおよび冷風バイパス通路２８ｂから流出した空気を混合させる混合空間２９が形成されている。
【０１１７】
加熱用冷風通路２８ａには、蒸発器８を通過後の空気を加熱するための加熱手段としてのヒータコア２３、およびヒータコア２３を通過後の空気を再加熱するための補助加熱手段としてのＰＴＣヒータ２４が、送風空気流れ方向に向かってこの順で配置されている。
【０１１８】
ヒータコア２３は、車両走行用駆動力を出力するエンジン３０の冷却水と蒸発器８を通過後の空気とを熱交換させて、蒸発器８を通過後の空気を加熱する加熱用熱交換器である。
【０１１９】
ヒータコア２３とエンジン３０との間に冷却水流路が設けられて、ヒータコア２３とエンジン３０との間を冷却水が循環する冷却水回路が構成されている。そして、この冷却水回路には、冷却水を循環させるためのウォータポンプ３１が設置されている。ウォータポンプ３１は、エアコンＥＣＵ５０から出力される制御電圧によって回転数（冷却水循環量）が制御される電動式の水ポンプである。
【０１２０】
ＰＴＣヒータ２４は、ＰＴＣ素子（正特性サーミスタ）を有し、このＰＴＣ素子に電力が供給されることによって発熱して、ヒータコア２３を通過後の空気を加熱する電気ヒータである。またＰＴＣヒータ２４としては、複数本、例えば、３本のＰＴＣヒータ２４ａ，２４ｂ，２４ｃを用いている。エアコンＥＣＵ５０が、第１ＰＴＣヒータ２４ａ、第２ＰＴＣヒータ２４ｂ、第３ＰＴＣヒータ２４ｃの各ＰＴＣ素子に対して設けられているスイッチ素子のＯＮ、ＯＦＦを制御することで、各ＰＴＣヒータ２４ａ，２４ｂ，２４ｃへの通電・非通電を制御するようになっている。そして、エアコンＥＣＵ５０が、通電するＰＴＣヒータ２４の本数を変化させることによって、複数のＰＴＣヒータ２４全体としての加熱能力が制御される。
【０１２１】
一方、冷風バイパス通路２８ｂは、蒸発器８を通過後の空気を、ヒータコア２３及びＰＴＣヒータ２４を通過させることなく、混合空間２９に導くための空気通路である。したがって、混合空間２９にて混合された送風空気の温度は、加熱用冷風通路２８ａを通過する空気および冷風バイパス通路２８ｂを通過する空気の風量割合によって変化する。
【０１２２】
本実施形態では、蒸発器８の空気流れ下流側であって、加熱用冷風通路２８ａ及び冷風バイパス通路２８ｂの入口側には、加熱用冷風通路２８ａ及び冷風バイパス通路２８ｂへ流入させる冷風の風量割合を連続的に変化させるエアミックスドア２２Ａを配置している。
【０１２３】
したがって、エアミックスドア２２Ａは、混合空間２９内の空気温度（車室内へ送風される送風空気の温度）を調整する温度調整手段を構成する。エアミックスドア２２Ａは、エアミックスドア用の電動アクチュエータによって駆動され、この電動アクチュエータは、エアコンＥＣＵ５０から出力される制御信号によって、その作動が制御される。
【０１２４】
さらに、空調ケース２０の送風空気流れ最下流部には、混合空間２９から空調対象空間である車室内へ温度調整された送風空気を吹き出す吹出口２７ａ，２７ｂ，２７ｃが配置されている。この吹出口２７ａ，２７ｂ，２７ｃとしては、車室内の乗員の上半身に向けて空調風を吹き出すフェイス吹出口２７ｂ、乗員の足元に向けて空調風を吹き出すフット吹出口２７ｃ、および、車両前面窓ガラス内側面に向けて空調風を吹き出すデフロスタ吹出口２７ａが設けられている。
【０１２５】
また、フェイス吹出口２７ｂ、フット吹出口２７ｃ、及びデフロスタ吹出口２７ａの空気流れ上流側には、それぞれ、フェイス吹出口２７ｂの開口面積を調整するフェイスドア２６ｂ、フット吹出口２７ｃの開口面積を調整するフットドア２６ｃ、デフロスタ吹出口２７ａの開口面積を調整するデフロスタドア２６ａが配置されている。
【０１２６】
これらのフェイスドア２６ｂａ、フットドア２６ｃ、デフロスタドア２６ａは、吹出口モードを切り替える吹出口モード切替手段を構成するものであって、リンク機構を介して、吹出口モードドア駆動用の電動アクチュエータに連結されて連動して回転操作される。またデフロスタドア２６ａは、窓ガラスの内表面に向かう吹出風量を調節する吹出風量調節手段として機能する。この電動アクチュエータは、エアコンＥＣＵ５０から出力される制御信号によってその作動が制御される。
【０１２７】
このような構成の車両用空調装置１０１でも、前述の第１実施形態と同様に、起動時に吹出モードを制御することによって、前述の第１実施形態と同様の作用および効果を達成することができる。
【０１２８】
（第３実施形態）
次に、本発明の第３実施形態に関して、図１３を用いて説明する。図１３は、第３実施形態に係る車両用空調装置１０２の構成を説明するための模式図である。本実施形態の車両用空調装置１０１における室内空調ユニットは、前述の第２実施形態の車両用空調装置１０１と特に類似しており、車両用空調装置１０１から空気を加熱する加熱手段を除去した構成となっている。すなわち、本実施形態の車両用空調装置１０２は、ヒータコア２３、ＰＴＣヒータ２４およびエアミックスドア２２Ａを除いた構成であり、いわゆる冷房および除霜が実施できるクーラサイクルによって実現される。
【０１２９】
また圧縮機２は、第１実施形態と同様の構成であって、エンジンルーム内に配置され、冷凍サイクル１Ａにおいて冷媒を吸入し、圧縮して吐出するものであり、吐出容量が固定された固定容量型圧縮機構を電動モータ２ａにて駆動する電動圧縮機として構成されている。電動モータ２ａは、インバータ９０から出力される交流電圧によって、その回転数が制御される交流モータである。
【０１３０】
このような構成の車両用空調装置１０１でも、前述の第１実施形態と同様に、起動時に吹出モードを制御することによって、操作性とエネルギー消費の抑制に関して、前述の第１実施形態と同様の作用および効果を達成することができる。
【０１３１】
（その他の実施形態）
以上、本発明の好ましい実施形態について説明したが、本発明は上述した実施形態に何ら制限されることなく、本発明の主旨を逸脱しない範囲において種々変形して実施することが可能である。
【０１３２】
前述の第１実施形態では、ハイブリッド自動車に本発明を適用しているが、ハイブリッド自動車に限るものではなく、電気自動車であってもよい。
【０１３３】
前述の第１実施形態では、電気式補助熱源としてＰＴＣヒータ２４を採用しているが、これに限定するものではない。電気式補助熱源は、通電されることにより、発熱体等から発熱して周囲の空気や物体を加熱できれば他の装置でもよい。
【符号の説明】
【０１３４】
１…ヒートポンプサイクル（サイクル）
１Ａ…冷凍サイクル（サイクル）
２…圧縮機
５…室外熱交換器
６…室外ファン
８…蒸発器（冷却用熱交換器）
１０…第１膨張弁（減圧装置）
２０…空調ケース
２１…室内用ブロワ（室内用送風機）
２３…ヒータコア（加熱用熱交換器）
２５ａ…内気導入口（空気取入口）
２５ｂ…外気導入口（空気取入口）
２６ａ…デフロスタドア（吹出風量調節手段）
２７ａ…デフロスタ吹出口（複数の吹出口）
２７ｂ…フェイス吹出口（複数の吹出口）
２７ｃ…フット吹出口（複数の吹出口）
３０…エンジン
４３…外気センサ（外気温検出手段）
５０…エアコンＥＣＵ（制御手段）
【図１】
0005494595.tif 000002
【図２】
0005494595.tif 000003
【図３】
0005494595.tif 000004
【図４】
0005494595.tif 000005
【図５】
0005494595.tif 000006
【図６】
0005494595.tif 000007
【図７】
0005494595.tif 000008
【図８】
0005494595.tif 000009
【図９】
0005494595.tif 000010
【図１０】
0005494595.tif 000011
【図１１】
0005494595.tif 000012
【図１２】
0005494595.tif 000013
【図１３】
0005494595.tif 000014